(57)【特許請求の範囲】
【請求項１】
天井等の固定側に設けられた埋込孔に挿通され且つ固定側に取り付けられる照明器具本体を備えた埋込型照明器具において、
筒状の上部反射板と下部反射板とから構成される反射板と、
前記上部反射板の下部開口縁部に設けられた筒状部に嵌合して固定される筒状の取付枠体とを備え、
該取付枠体と前記上部反射板とで照明器具本体が構成され、
前記取付枠体は、複数個の平面部が湾曲自在な連結部を介して周方向に設けられ、
前記平面部の下部から取付片部が径外方向に屈曲により延設され、
該取付片部と前記平面部に設けられた固定具とにより、前記埋込孔に挿通された前記取付枠体が前記固定側に固定され、
前記取付枠体内に前記下部反射板が着脱自在に装着されることを特徴とする埋込型照明器具。
【請求項２】
天井等の固定側に設けられた埋込孔に挿通され且つ固定側に取り付けられる照明器具本体と、該照明器具本体に保持される反射板とを備えた埋込型照明器具において、
前記照明器具本体は、上部側部材と、該上部側部材の下部の開口縁部に設けられた筒状部に嵌合して固定される筒状の取付枠体とから構成され、
前記取付枠体は、複数個の平面部が湾曲自在な連結部を介して周方向に設けられ、
前記平面部の下部から取付片部が径外方向に屈曲により延設され、
該取付片部と前記平面部に設けられた固定具とにより、前記埋込孔に挿通された前記取付枠体が固定側に固定され、
前記取付枠体内に前記反射板が着脱自在に装着されることを特徴とする埋込型照明器具。
【請求項３】
前記取付枠体は、金属製板材から形成されている請求項1または２に記載の埋込型照明器具。
【発明の詳細な説明】
【技術分野】
【０００１】
本発明は、ダウンライト等の埋込型照明器具に関する。
【背景技術】
【０００２】
従来のダウンライト等の埋込型照明器具は、天井に設けられた埋込孔に挿通され且つ天井側に取り付けられる照明器具本体と、この照明器具本体に保持される反射板とを備えたものが公知である（例えば、特許文献１参照）。そして、照明器具本体の下部に設けられたフランジ部と、照明器具本体側に設けられた取付金具とにより、天井の埋込孔の周縁部を挟持することにより、埋込型照明器具を固定している。
【０００３】
かかる反射板は、アルミ材等からなる金属板材を円筒状に成形したものである。特に、大型の埋込型照明器具は、反射板も大型化し、上下に長くなるとともに、その下端の開口径も大きくなる。このような、反射板の製造に際しては、金型にセットされた金属板材を回転させて作業者がへらを金型に沿って押し当てる絞り加工により成形している。
【特許文献１】特開平１１−１１１０１７号公報
【発明の開示】
【発明が解決しようとする課題】
【０００４】
照明器具本体が鋼板をロール加工により筒状に形成してなる場合、開口径が大きくなる程、それぞれの真円度がばらつくことになる。照明器具本体のフランジ部は、照明器具本体を筒状に形成した後に屈曲形成するため、ひび割れ等を防止する目的から曲げ代を大きくできない問題がある。また、天井の埋込孔の口径も若干の誤差が生じている場合がある。この結果、フランジ部の全周を略均等に天井側に当接させることができず、天井の埋込孔の口径のばらつきに対応できなくなり、照明器具の取り付け強度が低下するおそれがあった。
【０００５】
また、埋込型照明器具が大型化する程、反射板も大型化するため、大型の金型が必要となり、金型投資コストが増加する傾向にあった。
【０００６】
本発明は、大型の埋込型照明器具であっても、筒状の取付枠体の真円度を増し、天井の埋込孔に挿入し易くでき、また、埋込孔に対して偏って取り付けられた場合でも、フランジ部の曲げ代を大きくできることで、フランジ部の全周を略均等に当接でき、取付枠体を天井に確実に取り付け可能とすることを第１の課題とする。
【０００７】
また、大型の埋込型照明器具であっても、反射板を成形する金型投資コストを抑えることを第２の課題とする。
【課題を解決するための手段】
【０００８】
本発明は、前記課題を解決するためになされたもので、天井等の固定側に設けられた埋込孔に挿通され且つ固定側に取り付けられる照明器具本体を備えた埋込型照明器具において、筒状の上部反射板と下部反射板とから構成される反射板と、前記上部反射板の下部開口縁部に設けられた筒状部に嵌合して固定される筒状の取付枠体とを備え、該取付枠体と前記上部反射板とで照明器具本体が構成され、前記取付枠体は、複数個の平面部が湾曲自在な連結部を介して周方向に設けられ、前記平面部の下部から取付片部が径外方向に屈曲により延設され、該取付片部と前記平面部に設けられた固定具とにより、前記埋込孔に挿通された前記取付枠体が前記固定側に固定され、前記取付枠体内に前記下部反射板が着脱自在に装着されることにある。
【０００９】
なお、埋込型照明器具の上下方向とは、埋込型照明器具を天井等に取り付けた際の上下方向をいう。
【００１０】
本発明は、天井等の固定側に設けられた埋込孔に挿通され且つ固定側に取り付けられる照明器具本体と、該照明器具本体に保持される反射板とを備えた埋込型照明器具において、前記照明器具本体は、上部側部材と、該上部側部材の下部の開口縁部に設けられた筒状部に嵌合して固定される筒状の取付枠体とから構成され、前記取付枠体は、複数個の平面部が湾曲自在な連結部を介して周方向に設けられ、前記平面部の下部から取付片部が径外方向に屈曲により延設され、該取付片部と前記平面部に設けられた固定具とにより、前記埋込孔に挿通された前記取付枠体が固定側に固定され、前記取付枠体内に前記反射板が着脱自在に装着されることにある。
【００１１】
前記本発明の埋込型照明器具の前記取付枠体は、金属製板材から形成されているのが好ましい。
【発明の効果】
【００１２】
本発明は、大型の埋込型照明器具であっても、筒状の取付枠体の真円度を増し、取付枠体を天井の埋込孔に挿入し易くでき、また、仮に、取付枠体が埋込孔に対して偏って取り付けられた場合であっても、取付枠体における平面部の取付片部の曲げ代を大きくできることで、取付片部から構成されるフランジ部の全周を、天井に略均等に当接でき、取付枠体を天井に確実に取り付けることが可能となる。
【００１３】
また、反射板を上部反射板と下部反射板とで構成することにより、反射板を成形する金型投資コストを抑えることができる。
【発明を実施するための最良の形態】
【００１４】
以下、本発明の実施の形態について、図面を参照しながら説明する。図１〜図６は本発明の一実施の形態を示す。
【００１５】
本実施の形態の埋込型照明器具１（以下、単に照明器具という）は、取付枠体２と、給電部３と、反射板４とから主構成され、固定側としての天井５に形成された埋込孔６に取り付けられる。
【００１６】
給電部３は、取付台７に安定器８や光源１０を装着するソケット９等の電気部品が取り付けられたものである。
【００１７】
反射板４は、取付枠体２の上部に取り付けられる上部反射板４１と、取付枠体２内に着脱自在に装着される下部反射板５０とから２分割されている。上部反射板４１は、下方に向けて直径が大きくなる略円錐台状を呈するように、アルミ等の金属板材を加工したもので、テパー状の周壁４３と、この周壁４３の上縁から内側に屈曲された環状部４４と、周壁４３の下縁から外側に屈曲されたフランジ部４５と、このフランジ部４５から下方に屈曲された筒状部４６とからなる。環状部４４の上面に、給電部３の取付台７がねじ１１により固定されている。なお、取付枠体２および上部反射板４１とで照明器具本体が構成される。
【００１８】
下部反射板５０は、下方に向けて直径が大きくなる略円錐台状を呈するように、アルミ等の金属板材を加工したもので、テパー状の周壁５１と、周壁５１の上縁から外側に湾曲された凸状部５２と、周壁５１の下縁から環状の凹部５３を有するように、外側に屈曲された外縁部５４とからなる。
【００１９】
取付枠体２は、図２、図３および図５に示すように、鋼板等の金属製の帯板材を上下に開口する筒状に形成したもので、複数個の矩形状の平面部２１と、この平面部２１を連結する連結部２２と、平面部２１から取付枠体２の径外方向に屈曲により延設された取付片部２３となる。なお、各取付片部２３によりフランジ部２３ａが構成されている。
【００２０】
連結部２２は、複数個が所定の間隔を有して設けられている。連結部２２の長さ（平面部２１同士の間隔）Ｗ１および連結部２２の上下方向の幅長Ｗ２は、取付枠体２の口径および上下方向の長さにより適宜設定される。また、図５に示すように一方の平面部２１ａが、他方の平面部２１ｂに重ね合わされ、ねじ２４で固定されることにより、かかる連結部２２が適宜湾曲し、取付枠体２は筒状に形成されている。
【００２１】
取付枠体２の上部は、上部反射板４１の筒状部４６に内嵌されるとともに、ねじ５５で固定されている。取付枠体２には、下部反射板５０の凸状部５２を弾性力で係止するばね体（板ばね）２５が、取付枠体２の周方向に所定間隔をおいて複数個設けられている。このばね体２５は、所定の平面部２１に形成された開口２６に挿通され、外側の固定部２５ａがねじ２７により平面部２１の外面に固定されている。
【００２２】
また、取付枠体２の所定の平面部２１には、上下方向にスリット２９が形成され、このスリット２９には、固定具としての取付金具３０が上下に摺動調整できるように挿通されている。取付金具３０は、取付枠体２の外側に位置する一対の爪片３１ａ、３１ａと、天井５の裏面に当接する先端部３１ｂと、平面部２１の内側に位置して平面部２１に押圧されるカム部を有する回動自在な操作部３２とを有している。
【００２３】
そして、操作部３２を回動させて爪片３１ａ、３１ａを平面部２１に押圧させ、先端部３１ｂを天井５に押圧させることにより、取付金具３０と取付枠体２のフランジ部２３ａとで天井５の埋込孔６周縁部を挟持するようになっている。
【００２４】
次に、取付枠体２を製造する場合について説明する。先ず、金属製の平板材を所定の帯状に加工する。例えば、ターレットパンチプレス機等により、所定の形状に切断および打ち抜き加工を行なう（図６（ａ）参照）。この工程において、開口２６およびスリット２９等の所定の打ち抜き加工を同時に行なう。
【００２５】
さらに、平板材の長辺側の一方を、プレス機により曲げ加工を施し、取付片部２３を形成する（図６（ｂ）参照）。この取付片部２３の形成は、平板材の状態で行なうため、その幅長Ｈ１は任意に設定できる。なお、取付片部２３の曲げ加工は、前記打ち抜き加工と同時に行なうようにしてもよい。
【００２６】
かかる取付枠体２の製造工場と、照明器具１の組み付け工場とが相違する場合には、筒状に形成される以前の取付枠体２を、例えば、図６（ｃ）に示すように、重ね合わせて嵩張らない状態でまとめて運搬したり、取り扱ったりできるので、非常に便利である。また、保管しておく場合にも、省スペース化を図ることもできる。
【００２７】
照明器具１の組み付け工場において、取付枠体２を筒状に形成する。このとき、平面部２１を連結する連結部２２が湾曲するため、取付枠体２を容易に筒形状とすることができる。また、取付片部２３は予め屈曲して形成されているため、取付枠体２の周方向に同一幅長Ｈ１のフランジ部２３ａが形成される。
【００２８】
筒状に形成された取付枠体２の上端部を、上部反射板４１の筒状部４６に嵌合し、取付枠体２の上端部を上部反射板４１の筒状部４６にねじ５５で固定する。取付枠体２は、上部反射板４１の筒状部４６の円形状に沿って固定されるため、上部反射板４１の中心を中心とする真円度の精度が向上する。
【００２９】
また、取付枠体２には、取付金具３０、ばね板体２５および給電部３がそれぞれ取り付けられる。
【００３０】
さらに、給電部３の電線を、天井側の電線に接続する。取付枠体２を取付壁５の埋込孔６に挿通し、取付金具３０と取付枠体２のフランジ部２３ａとで、天井５の開口周縁部を挟持することにより、取付枠体２を天井５に固定する（図２参照）。取付枠体２は真円度の良好な円形であるため、フランジ部２３ｂの偏りが少なく、十分な幅長Ｈ１を有するフランジ部２３ｂを、略均等に天井側に当接させることができる。特に、大型の埋込型照明器具であっても、筒状の取付枠体２の真円度を増し、天井５の埋込孔６に挿入し易くでき、また、埋込孔６に対して偏って取り付けられた場合でも、フランジ部２３ａ（取付片部２３）の曲げ代を大きくできることで、フランジ部２３ａの全周を略均等に当接でき、取付枠体２を天井５に強固にかつ確実に取り付け可能となる。
【００３１】
取付枠体２を天井５に固定した後に、下反射板５０を取付枠体２内に下方から嵌合すると、ばね板体２５が下反射板５０の凸状部５２に係止する。下反射板５０の外縁部５４は、取付枠体２のフランジ部２３ａを被覆し、天井側に密着した状態が維持される。なお、下反射板５０の凸状部５２は、下反射板５０の全周に設けられているため、下反射板５０の周方向の位置合わせが不要である。
【００３２】
取付枠体２を固定する取付金具３０の爪片３１ａ、３１ａは、平面部２１の平坦面に押圧されているため、平面部２１の任意の位置での固定が確実なものとなり、照明器具１が若干の振動に対してがたついたり、下方にずれ落ちたりするのを防止する。
【００３３】
前記本実施の形態は、反射板４を上部反射板４１と下部反射板５０とに分割し、しかも、上部反射板４１は照明器具本体も兼用している。このため、上部反射板４１と下部反射板５０との金型は、それぞれ別のものが使用でき、仮に大型の照明器具１であっても、大型の金型を製作する必要がなく、金型投資コストを抑えることができる。しかも、作業者が、上部反射板４１と下部反射板５０とに相当する大きさの反射板を、一枚の板材から成形する場合に比し、成形作業が容易となるとともに、高度な熟練も不要となる利点もある。
【００３４】
また、上部反射板４１が照明器具本体も兼用しているため、鋼板で使用する部品を少なくでき、軽量化を図ることが可能となり、照明器具１のトータルコストの低減も可能となる。さらに、ばね体２５は、平面部２１にねじ２７で固定されるのであるが、平面部２１へのめねじのタッピングも容易に行なうことができる。
【００３５】
本発明は、前記実施の形態に限定されるものではない。例えば、図７に示すように、例えば照明器具本体を、上部反射板４１とは別部材の筒状の上部側部材６０と、取付枠体２とから構成することも可能である。なお、前記実施の形態の照明器具１と同一部材は、同一符号を付して、それぞれの説明は省略する。
【００３６】
反射板４は、上部反射板４１と下部反射板５０とからなるものを例示するが、一体的に設けたものであってもよい。かかる実施の形態は、比較的小型の照明器具１に有効である。取付枠体２の直径が小さくても、平面部２１を設けることにより、取付金具３０およびばね板体２５の取り付け部分を平坦にする加工が不要となる。しかも、上部側部材６０は、金属製に限らず、合成樹脂であっても良い。
【００３７】
また、取付枠体２の平面部２１同士の間隔Ｗ１に、取付金具３０を設けることも可能である。しかも、照明器具１は平面視が円形のものを例示したが、これに限定されるものではなく、矩形上やその他の多角形状等の非円形のものであっても良い。
【図面の簡単な説明】
【００３８】
【図１】本発明の一実施の形態を示す照明器具を天井に取り付けた状態の断面図である。
【図２】同照明器具から下部反射板を取り外した状態の断面図である。
【図３】同照明器具の斜視図である。
【図４】同照明器具の平面図である。
【図５】同照明器具の取付枠体を下方から視た斜視図である。
【図６】（ａ）および（ｂ）は、取付枠体の製造工程をそれぞれ示す斜視図、（ｃ）は複数の取付枠体を重ねた状態を示す側面図である。
【図７】本発明の他の実施の形態を示す照明器具を天井に取り付けた状態の断面図である。
【符号の説明】
【００３９】
１      照明器具（埋込型照明器具）
２      取付枠体
４      反射板
５      天井（固定側）
６      埋込孔
２１    平面部
２２    連結部
２３    取付片部
４１    上部反射板
５０    下部反射板
【図１】
0004621165.tif 000002
【図２】
0004621165.tif 000003
【図３】
0004621165.tif 000004
【図４】
0004621165.tif 000005
【図５】
0004621165.tif 000006
【図６】
0004621165.tif 000007
【図７】
0004621165.tif 000008